(57)【特許請求の範囲】
【請求項１】
パチンコ球を貯留する皿部を有する球受皿本体と、前記球受皿本体に設けられた操作部材の回動により回動支軸を中心として回動し、球抜口を直接的に又は球抜部材を介して開閉するリンク部材と、前記リンク部材を前記球抜口を閉止する位置に付勢する付勢部材とからなり、
前記操作部材はその一側部が軸支されると共に他側部の外側端面に下方へ弧状に突出するカム面が形成され、前記リンク部材には該リンク部材の回動支軸と平行に突出され前記カム面に接する押圧部を設け、前記押圧部を前記操作部材のカム面で押圧することにより前記リンク部材を前記球抜口が開放される位置に移動させるようにしたことを特徴とするパチンコ機における球受皿の球抜装置。
【発明の詳細な説明】
【０００１】
【発明の属する技術分野】
本発明はパチンコ機の前面に取着される球受皿のパチンコ球を球抜口を開閉して球抜きするパチンコ機における球受皿の球抜装置に関するものである。
【０００２】
【従来の技術】
従来、パチンコ機における球受皿の球抜装置として例えば実公平４−２１５７２号公報に開示されるものが有る。該装置は図１１に示されるように、打球供給皿１００の皿部１０１に球抜口１０２が形成されており、打球供給皿１００の上面開口１０３に操作部材１０４が上下方向に回動自在に設けられている。また、打球供給皿１００内には横方向へ摺動自在に設けられかつ付勢部材１０５により常時球抜口１０２を閉塞する位置に付勢される球抜部材１０６と前記操作部材１０４の下面に接触する横向きの腕１０７を一体に備えかつ下端の係合ピン１０８を球抜部材１０６に係合させたＬ字形のリンク部材１０９を揺動自在に軸１１０に支持して構成されている。
そして、操作部材１０４の押圧により腕１０７を押し下げてリンク部材１０９を回動させることにより球抜部材１０６を球抜口１０２が開放する位置に摺動させるようにしている。
【０００３】
【発明が解決しようとする課題】
上記球抜装置にあっては、特に腕１０７の寸法に対しリンク部材１０９の垂直高さを長くすることにより、操作部材１０４の僅かな回動ストロークで球抜部材１０６の摺動ストロークを増大させるようにして球抜き操作が楽に行なえるようにしようとするものである。しかし、操作部材１０４を押圧する位置のほぼ真下に腕１０７が配置されているためリンク部材１０９の軸１１０またはリンク部材１０９自体により操作部材１０４の動きが制約され、操作部材１０４を切欠いて変形させたり、操作部材１０４を大きくしたりするなどスペースを大きくとる問題があった。
【０００４】
しかも腕１０７は操作部材１０４の押圧によりほぼ真下に移動するにすぎないため操作部材１０４の回動ストロークが僅かで済むものの始めから大きな押圧力を必要とするので、操作部材１０４を強く押さねばならず、か弱い女性客などにとっては操作しずらいという問題が有った。
【０００５】
そこで、本発明は上記課題を解決すべくなされたもので、その目的とするところは、スペースをとらず操作部材を軽く押圧するのみで球抜操作が楽に行なえるようにしたパチンコ機における球受皿の球抜装置を提供することにある。
【０００６】
【課題を解決するための手段】
かかる目的を達成するため、本発明に係るパチンコ機における球受皿の球抜装置は、パチンコ球を貯留する皿部を有する球受皿本体と、該球受皿本体に設けられた操作部材の回動により回動支軸を中心として回動し、球抜口を直接的に又は球抜部材を介して開閉するリンク部材と、該リンク部材を球抜口を閉止する位置に付勢する付勢部材とからなり、前記操作部材はその一側部が軸支されると共に他側部の外側端面に下方へ弧状に突出するカム面が形成され、前記リンク部材には該リンク部材の回動支軸と平行に突出され前記カム面に接する押圧部を設け、該押圧部を前記操作部材のカム面で押圧することによりリンク部材を球抜口が開放される位置に移動させるようにした。
【０００７】
そこで、操作部材を押圧するとき、リンク部材に突出形成した押圧部を操作部材下面のカム面で押圧するので、リンク部材に操作部材の動きを制約されず押圧動作がスムーズとなり、その操作が楽に行なえることとなる。
【０００８】
また前記カム面は円弧面に形成するのが好ましく、円弧面にすることで球抜きの動作がなめらかになる。
【０００９】
なお本発明のパチンコ機における球受皿の球抜装置は、パチンコ機の前面枠の前面に設けられる打球供給皿または打球供給皿の余剰球を貯留する余剰球受皿のいずれにも適用可能である。
【００１０】
【発明の実施の形態】
以下、本発明に係るパチンコ機における球受皿の球抜装置の実施の形態を図面を参照して説明する。図１は本発明が適用されるパチンコ機の正面図、図２はガラス扉枠及び前面板を開放した状態のパチンコ機の下部部分の斜視図である。図において、１はパチンコ機の前面枠、２は該前面枠１の後側に着脱自在に装着される遊技盤であって、該遊技盤２の右下側に発射レール３が装着されている。４は発射レール３の発射位置５に先端が臨む打球杆、６は発射レール３の前面を覆う前面板であって、遊技盤２の前面を覆うガラス扉枠７と共に前面枠１の窓孔８の一側に開閉自在に装着される。前記前面板６の前面に、パチンコ球払出装置（図示せず。）から払い出されたパチンコ球を貯留し、そのパチンコ球を後述する打球供給装置２１に供給する打球供給皿９が装着されている。また、前記前面枠１の下部前面には打球供給皿９に充満してオーバーフローするパチンコ球を貯留する余剰球受皿１０及び発射位置５から発射されるパチンコ球の弾発力を調節する操作ハンドル１１が設けられている。
【００１１】
前記打球供給皿９は、図３に示されるように球受皿本体１２と該球受皿本体１２の前面外側を覆うカバー部材１３とから構成されている。球受皿本体１２はパチンコ球を貯留する皿部１４と、該皿部１４の上縁部分を囲う飾板部１５及び皿部１４の下方に延出する側板部１６とを有する。前記皿部１４は底部が一方に緩やかに下り傾斜し、その傾斜下部にパチンコ球が一列に整列されて流下する整流部１７が形成されている。この整流部１７の下流端が位置する前面板６には皿部１４のパチンコ球を前面板６の裏側に流出させる球出口１８が開設されている。また、前面板６には側板部１６に形成された球抜通路１９に連通する下部通孔２０が開設されている。
【００１２】
一方、前面板６の裏面には前記球出口１８と対応させて打球供給装置２１が装着されている。該打球供給装置２１はケース体２２と球送り部材２３と球抜部材２４とからなる。ケース体２２は図４に示されるように本体部２２ａとカバー部２２ｂとの二部材で構成されている。本体部２２ａには前面板６の球出口１８と連通する球入口２５が設けられると共に、前記整流部１７と連通し、球出口１８から流出するパチンコ球を一列に整列させて導く下り傾斜の球通路２６が形成されており、該球通路２６の終端に球抜口２７を介して球送部材２３が配置され、球通路２６内の最先位置にあるパチンコ球を１個ずつ前記発射レール３の発射位置５に導くようにしている。また、球抜口２７の下方には該球抜口２７から落下するパチンコ球を受けて下部通孔２０に流出させる球抜路２８が形成される。また本体部２２ａの側壁には球通路２６の終端部に対応するように一文字状のガイド孔２９が開設されている。
【００１３】
前記球送部材２３は、全体をほぼ円形形状としかつパチンコ球の直径とほぼ等しい厚さの立体形とした球送本体２３ａと内部に重錘３０が設けられると共に球送本体２３ａから一側へ突出する係合腕２３ｂとを一体に備えており、本体部２２ａに突設された回動支軸３１により回動自在に支持されている。そして、自然状態では球送部材２３が重錘３０により回動支軸３１を中心に下方へ回動している。
【００１４】
また、前記球送本体２３ａには、球通路２６の終端下方に位置する外周面に形成されパチンコ球を下方から支持する球止部３２と該球止部３２で支持したパチンコ球が嵌入し得る半円状の球受凹部３３とが設けられており、該球受凹部３３の底部３３ａは嵌入したパチンコ球が発射レール３の発射位置５に対応させてカバー部２２ｂに設けた供給口３４側に転がるように傾斜面として形成されている。
【００１５】
前記球抜口２７は球抜部材２４の一方端に突設した球抜板部３５により球抜口２７を開閉するようにしている。この球抜板部材２４は、図３に示すように、摺動板部２４ａを一体に備えており、該摺動板部２４ａは打球供給皿９の側板部１６に形成された箱状のガイド部３６に左右方向へ往復移動自在に支持されている。また前面板６には前記本体部２２ａのガイド孔２９に合致する一条のガイド長孔３７が開設され、球抜部材２４の球抜板部３５を前面板６の前記ガイド長孔３７及び本体部２２ａのガイド孔２９から球通路２６終端に開設する球抜口２７へ臨ませて該球抜口２７を開閉自在にする。
【００１６】
また、前記球抜部材２４には打球供給装置２１の球送部材２３の球止部３２上方に出入り自在な押片部３８が一体に設けられている。この押片部３８は前面板６に開設されたガイド長孔３７及び本体部２２ａのガイド孔２９からケース体２２の中に臨ませて、図７（イ）に示すように、球抜部材２４が球抜口２７を閉じる位置に付勢されているときは打球供給装置２１の側方に位置し、球抜部材２４が球抜口２７を解放する位置に移動すると、図７（ロ）に示すように、球通路２６内に突入して球送部材２３の球止部３２上面に待機するパチンコ球Ｂを球抜口２７へ押し出して球抜路２８へ落下させるようになっている。
【００１７】
しかして、打球供給皿９の側板部１６の前面には、図５及び図８に示すように、リンク部材３９が回動支軸４０により揺動自在に軸支され、該リンク部材３９には回動支軸４０と平行に突出するピン状の押圧部４１を設け、下方には球抜部材２４の前側面に突設した突起４２を臨ませる長孔４３が穿設されている。また、リンク部材３９には付勢部材としてのコイルばね４４が連結されており、常に球抜部材２４を図５実線のように球抜板部３５で球抜口２７を閉じる位置に付勢している。なお、リンク部材３９の押圧部４１の形状はピン型に限られることなくＬ型の突片等でもよい。
【００１８】
操作部材４５は一側部が側板部１６の前面に軸支４６され上下方向に回動自在に設けられており、他側部の操作部４５ａが飾板部１５上面の開口４７から上方へ突出している。また、操作部材４５の下面に下方へ弧状に突出するカム面４８が形成され、該カム面４８がリンク部材３９の押圧部４１に接して操作部材４５が保持されている。そして、操作部材４５の自由端側を押圧することにより球抜部材２４の球抜口２７を解放する位置に移動させることができるようになっている。なお、操作部材４５のカム面４８は弧状として説明するが直線状のテーパー面でもよい。
【００１９】
次に、このように構成されるパチンコ機の作用を説明する。打球供給皿９に貯留されるパチンコ球は、整流部１７によって一列に整列されながら前面板６の球出口１８に入り球入口２５を介してケース体２２内の球通路２６に流入し、図６実線のように最先のパチンコ球Ｂが球送り部材２３の球止部３２上に乗り、後続するパチンコ球も球通路２６に連続して待機している。
【００２０】
一方、この状態で遊技者が操作ハンドル１１を操作することにより打球杆４が図６鎖線のように発射準備位置に回動されると、引掛杆４９によって連動レバー５０のレバー部５１が引寄せられ該連動レバー５０が軸５２を支点として上方へ回動し、その押上部５３が球送部材２３の係合腕２３ｂを上方へ押し上げる。このため、球送部材２３が回動支軸３１を支点として図６鎖線のように上方へ回動し、前記最先のパチンコ球Ｂが球受凹部３３に受け入れられる。
【００２１】
そして、この状態で打球杆４が図６実線で示す発射動作位置に回動すると、球送部材２３は係合腕２３ｂの押し上げ動作から開放され重錘３０の自重で下方に回動し、球受凹部３３に受け入れられたパチンコ球Ｂが供給口３４から発射レール３の発射位置５に送り出される。同時に後続する球通路２６内のパチンコ球Ｂ１を球送本体２３ａの球止部３２で受け止めるもので、その後は打球杆４の往復回動ごとに球通路２６内の最先に有るパチンコ球Ｂが１個ずつ発射レール３の発射位置５に供給される。
【００２２】
一方、打球供給皿９内のパチンコ球を余剰球受皿１０へ抜き取るには、操作部材４５の操作部４５ａを図５鎖線のように押圧して下面のカム面４８によってリンク部材３９をコイルばね４４の付勢に抗して回動させる。これによって、球抜部材２４がリンク部材３９の長孔４３に係合する突起４２を介して同図矢印方向に移動し図７（ロ）に示すように球抜口２７を開放する。このため、球抜板部３５の上面で支持されていたパチンコ球はその支持を失って球抜口２７から球抜路２８に落下し、前面板６の下部通孔２０を経て球抜通路１９に流出し、さらに前面板６に開設した流出口５４から球抜シュート５５を通って余剰球受皿１０に排出される。また、打球供給装置２１に導かれて球送部材２３の球止部３２上面に残されているパチンコ球Ｂは、図７（ロ）に示すように、球抜部材２４の押片部３８によって球抜口２７に押されて落下し、打球供給皿９内のパチンコ球と同じように余剰球受皿１０に排出される。
【００２３】
そして、打球供給皿９内のパチンコ球を余剰球受皿１０に抜き取った後、操作部材４５の押圧を解除すると、コイルばね４４の付勢によってリンク部材３９が元の状態に復帰し、同時に球抜部材２４も図７（イ）に示す位置に移動して球抜口２７を閉じる。
【００２４】
このように球抜きする際、操作部材４５を押圧するとき該操作部材４５下面のカム面４８でリンク部材３９に突出形成した押圧部４１を楔を打ち込むように少しずつ押圧していくので操作部材４５の押圧動作がスムーズでその操作が極めて楽に行なえる。
【００２５】
また図９に示すようにリンク部材３９と操作部材４５の回動支軸４０，４６位置を変えずにカム面４８の設ける場所を変えることで球抜方向を変えることができる。
【００２６】
また図１０に示すものは他の実施の形態の球抜装置であり、本発明のリンク部材３９に突出する押圧部４１を押圧するようにした構成によりこの実施の形態のようにリンク部材３９と操作部材４５と同じ軸５６で回動するようにもできより一層スペースをとらず、しかも部品点数を減らしコストダウンを図ることができる。
【００２７】
なお、本発明は、球抜口２７が前面板６裏側のケース体２２内に設けたパチンコ機について説明したが、打球供給皿９の整流部１７の底部に設けたパチンコ機についても適用できること勿論である。
【００２８】
【発明の効果】
以上述べたように、本発明に係るパチンコ機における球抜装置はリンク部材に回動支軸と平行方向に突出形成した押圧部を操作部材の下面のカム面で押圧するようにしたから、リンク部材による操作部材の動きに制約がなくなりスペースをとらず、また押圧動作がスムーズとなり、球抜操作が極めて楽に行なえるという効果を有する。
【図面の簡単な説明】
【図１】  本発明が適用されるパチンコ機の正面図。
【図２】  ガラス扉枠及び前面板を開放した状態のパチンコ機の下部部分の斜視図。
【図３】  打球供給皿部分の分解斜視図。
【図４】  打球供給装置の分解斜視図。
【図５】  球抜装置部分の正面断面図。
【図６】  打球供給装置の正面断面図。
【図７】  打球供給装置の断面図で、（イ）は球抜口の閉鎖状態を示し、（ロ）は球抜口の開放状態を示す断面図。
【図８】  打球供給皿と余剰球受皿との関連構成を示す側面断面図。
【図９】  他の実施の形態を示す球抜装置部分の正面図。
【図１０】  他の実施の形態を示す球抜装置部分の正面図。
【図１１】  従来の球抜装置部分の正面断面図。
【符号の説明】
１２            球受皿本体
１４            皿部
２４            球抜部材
２７            球抜口
３９            リンク部材
４０            回動支軸
４１            押圧部
４４            コイルばね（付勢部材）
４５            操作部材
４６            回動支軸
４８            カム面
【図１】
0003944288.tif 000002
【図２】
0003944288.tif 000003
【図３】
0003944288.tif 000004
【図４】
0003944288.tif 000005
【図５】
0003944288.tif 000006
【図６】
0003944288.tif 000007
【図７】
0003944288.tif 000008
【図８】
0003944288.tif 000009
【図９】
0003944288.tif 000010
【図１０】
0003944288.tif 000011
【図１１】
0003944288.tif 000012